(57)【特許請求の範囲】
【請求項１】
映像及び又は音声信号の所望部分を被編集素材として登録し、当該登録した被編集素材に基づいて編集順序を規定した編集リストを作成することができるようになされた編集装置において、
表示手段の表示画面内に設けられた情報表示部に、登録された上記被編集素材に関する所定情報を表示すると共に、上記表示画面内に設けられた編集リスト表示部に、タイムスケールに沿って上記被編集素材が配置されるように表示することにより上記編集リストを構成する制御部
を具え、
上記制御部は、
上記被編集素材が上記編集リスト表示部に表示されているか否かを判別できる所定の判別情報を、当該被編集素材に関する上記所定情報に対応させて上記情報表示部に表示する
ことを特徴とする編集装置。
【請求項２】
上記制御部は、
各上記被編集素材の所定部分の画像を上記情報表示部に表示される所定の表示キヤラクタ内にそれぞれ表示すると共に、上記編集リスト表示部に表示されている上記被編集素材と対応する上記表示キヤラクタにおける所定部分の表示色を変更することにより上記判別情報を表示する
ことを特徴とする請求項１に記載の編集装置。
【発明の詳細な説明】
【０００１】
【目次】
以下の順序で本発明を説明する。
【０００２】
発明の属する技術分野
従来の技術
発明が解決しようとする課題
課題を解決するための手段（図１〜図１０）
発明の実施の形態
（１）本実施の形態による編集装置の構成（図１）
（２）主制御部の構成（図２）
（３）メイン画面におけるＣＰＵの処理（図３〜図９）
（４）マーク表示処理手順（図１０）
（５）本実施の形態の動作及び効果（図１〜図１０）
（６）他の実施の形態（図１〜図１０）
発明の効果
【０００３】
【発明の属する技術分野】
本発明は編集装置に関し、特にノンリニア編集装置に適用して好適なものである。
【０００４】
【従来の技術】
従来、編集装置においては、オペレータの操作に基づいてビデオテープレコーダを制御することにより、ビデオテープに記録された映像音声信号を再生させ、当該再生された映像音声信号に基づく映像及び音声をデイスプレイに表示し、又はスピーカから出力し得るようになされている。
【０００５】
これによりこの種の編集装置では、オペレータがデイスプレイに表示された映像や、スピーカから出力される音声を確認しながらこれら映像及び音声のうちの所望部分を複数箇所に亘つて指定して登録し、これら登録した映像音声（以下、これをクリツプと呼ぶ）同士をどの順番でどのようにつなぎ合わせて編集映像及び編集音声を得るかといつた編集順序を規定した編集リストを作成することができるようになされている。
【０００６】
これに対して近年、ビデオテープに記録された所望クリツプの映像音声信号を一旦ハードデイスクに取り込み、当該ハードデイスクに取り込んだ映像音声信号に基づいて編集リストを作成し得るようになされた編集装置（以下、これをノンリニア編集装置と呼ぶ）が提案されている。
【０００７】
このようなノンリニア編集装置では、通常、ハードデイスクの高速アクセス性及びランダムアクセス性を利用した種々の機能が設けられており、これによりオペレータがこれら機能を利用して編集リストを容易にかつ迅速に作成し得るようになされている。
【０００８】
【発明が解決しようとする課題】
ところでかかる構成のノンリニア編集装置では、編集リストに基づいてハードデイスクに取り込んだ映像音声信号を利用して編集処理を実行することにより編集映像及び編集音声を生成し得るようになされている。
【０００９】
従つてノンリニア編集装置では、作成された編集リストに用いられたクリツプの映像音声信号について、当該編集リストに基づく編集処理を終了するまではこれをハードデイスクから消去することができない。
【００１０】
このためかかる構成のノンリニア編集装置では、例えばハードデイスクの記憶容量を越えて所望クリツプの映像音声信号を記録したい場合には、編集リストに用いられていないクリツプの映像音声信号を選択してこれをハードデイスクから消去する必要がある。
【００１１】
しかしながら従来のノンリニア編集装置では、ハードデイスクに取り込まれたクリツプが編集リストに用いられているか否かを容易には判別し難く、このような不要なクリツプの映像音声信号をハードデイスクから消去する作業が煩雑となるなど使い勝手が悪い問題があつた。
【００１２】
本発明は以上の点を考慮してなされたもので、使い勝手を格段的に向上させ得る編集装置を提案しようとするものである。
【００１３】
【課題を解決するための手段】
かかる課題を解決するため本発明においては、編集装置において、表示手段の表示画面内に設けられた情報表示部に、登録された被編集素材に関する所定情報を表示すると共に、表示画面内に設けられた編集リスト表示部に、タイムスケールに沿って被編集素材が配置されるように表示することにより編集リストを構成する制御部を設け、制御部は、被編集素材が編集リスト表示部に表示されているか否かを判別できる所定の判別情報を、当該被編集素材に関する所定情報に対応させて情報表示部に表示するようにした。
【００１４】
この結果、情報表示部に表示された被編集素材に関する情報及び判別情報に基づいて、当該情報に対応付けられた被編集素材が編集リストに用いられているか否かをオペレータに瞬時にかつ確実に把握させることができる。
【００１５】
【発明の実施の形態】
以下図面について、本発明の一実施の形態を詳述する。
【００１６】
（１）本実施の形態による編集装置の構成
図１において、１は全体として本実施の形態による編集装置を示し、ビデオテープに記録された映像音声の所望部分をクリツプとして登録し得る一方、このとき又は予め登録されたクリツプのなかから所望のクリツプの映像信号及び音声信号をハードデイスク装置２内のハードデイスクに取り込み得るようになされている。
【００１７】
またこの編集装置１では、登録された各クリツプを所望状態に繋ぎ合わせて所望の編集映像音声を得るための編集順序を規定した編集リストを作成でき、さらにこの作成した編集リストに従つて実際に編集処理を実行し、得られた編集映像及び編集音声をビデオテープに記録することができるようになされている。
【００１８】
すなわちこの編集装置１においては、主制御部３、システム制御部４、映像入力部５、映像出力部６、デイジタル映像音声入出力部７、映像特殊効果処理部８、音声入出力／ミキサ部９及びデイスク制御部１０がコントロールバス１１を介して接続されることにより構成されている。
【００１９】
この場合主制御部３は、初期時、デイスプレイ１２に所定の操作画面（以下、これをメイン画面と呼ぶ）を表示させる。また主制御部３は、この状態においてマウス１３が操作されることにより、クリツプ登録モードが選択され、当該編集装置１に接続された複数台のビデオテープレコーダ１４Ａ〜１４Ｄのなかから１台のビデオテープレコーダ１４Ａ〜１４Ｄの再生動作命令が入力されると、これに応じた制御コマンドＣ１をシステム制御部４に送出する。
【００２０】
システム制御部４は、供給される制御コマンドＣ１に基づいて、対応するビデオテープレコーダ１４Ａ〜１４Ｄに制御信号Ｓ１を送出することにより、ビデオテープに記録された映像信号及び音声信号の再生動作を実行させる。
【００２１】
この結果このビデオテープレコーダ１４Ａ〜１４Ｄからはアナログ映像信号Ｓ２及びアナログ音声信号Ｓ３と、デイジタル映像信号Ｓ４及びデイジタル音声信号Ｓ５とが出力され、アナログ映像信号Ｓ２及びアナログ音声信号Ｓ３がそれぞれ映像入力部５又は音声入出力／ミキサ部９に与えられ、デイジタル映像信号Ｓ４及びデイジタル音声信号Ｓ５がデイジタル映像音声入出力部７に与えられる。
【００２２】
このときシステム制御部４は、コントロールバス１１を介して映像入力部５及び音声入出力／ミキサ部９と、デイジタル映像音声入出力部７とのうちのいずれか一方を制御することにより、ビデオテープレコーダ１４Ａ〜１４Ｄから出力されたアナログ映像信号Ｓ２及びアナログ音声信号Ｓ３と、デイジタル映像信号Ｓ４及びデイジタル音声信号Ｓ５とのうちのいずれか一方のみを取り込ませる。
【００２３】
かくして映像入力部５を介してアナログ映像信号Ｓ２が取り込まれた場合には、これが映像入力部５においてデイジタル変換された後デイジタル映像信号Ｓ６として映像特殊効果処理部８に与えられ、デイジタル映像音声入出力部７を介してデイジタル映像信号Ｓ４が取り込まれた場合には、これがそのまま映像特殊効果処理部８に与えられる。
【００２４】
このとき映像特殊効果処理部８は、システム制御４の制御のもとに、映像入力部５又はデイジタル映像音声入出力部７から供給されるデイジタル映像信号Ｓ６、Ｓ４を主制御部３に送出する。かくしてこのときデイスプレイ１２には、主制御部４の制御のもとにデイジタル映像信号Ｓ６、Ｓ４に基づく映像がメイン画面上の所定位置に表示される。
【００２５】
またこのときアナログ音声信号Ｓ３が取り込まれた場合には、これがそのまま音声入出力／ミキサ部９から図示しないスピーカに送出され、またデイジタル音声信号Ｓ５が取り込まれた場合には、これが音声入出力／ミキサ部９においてアナログ変換された後、スピーカに送出される。
【００２６】
これによりこの編集装置１では、デイスプレイ１２に表示された映像及びスピーカから出力される音声に基づいて、オペレータがマウス１３及びキーボード１５を用いて映像及び音声の所望部分を指定することができ、さらにこれをクリツプとしてそのイン点及びアウト点のタイムコードや素材長（デユレーシヨン）等の関連データを主制御部３内に登録することができるようになされている。
【００２７】
このとき主制御部３は、予め取込みモードが選択されている場合には、これに応じた制御コマンドＣ１をシステム制御部４に送出する。
【００２８】
システム制御部４は、供給される制御コマンドＣ１に基づいて、対応するビデオテープレコーダ１４Ａ〜１４Ｄに制御信号Ｓ１を送出することにより、指定されたクリツプの映像音声を当該ビデオテープレコーダ１４Ａ〜１４Ｄに再生させる一方、映像入力部５及び音声入出力／ミキサ部９と、デイジタル映像音声入出力部７とのいずれか一方をコントロールバス１１を介して制御することにより、ビデオテープレコーダ１４Ａ〜１４Ｄから出力されるアナログ映像信号Ｓ２及びアナログ音声信号Ｓ３と、デイジタル映像信号Ｓ４及びデイジタル音声信号Ｓ５とのうちのいずれか一方を取り込ませる。
【００２９】
この結果映像入力部５を介してアナログ映像信号Ｓ２が取り込まれた場合には、これが映像入力部５においてデイジタル変換された後デイジタル映像信号Ｓ６として映像特殊効果処理部８を介してデイスク制御部１０に送出され、デイジタル映像音声入出力部７を介してデイジタル映像信号Ｓ４が取り込まれた場合には、これがそのままデイスク制御部１０に送出される。
【００３０】
またこのとき音声入出力／ミキサ部９を介してアナログ音声信号Ｓ３が取り込まれた場合には、これが音声入出力／ミキサ部９においてデイジタル変換された後デイジタル音声信号Ｓ７としてデイスク制御部１４に送出され、デイジタル映像音声入出力部９を介してデイジタル音声信号Ｓ５が取り込まれた場合には、これが直接デイスク制御部１０に送出される。
【００３１】
そしてデイスク制御部１０は、このときシステム制御部４からコントロールバス１１を介して与えられるコマンドに基づいて、映像特殊効果処理部８又はデイジタル映像音声入出力部７から与えられるデイジタル映像信号Ｓ６、Ｓ４と、音声入出力／ミキサ部９又はデイジタル映像音声入出力部７から与えられるデイジタル音声信号Ｓ７、Ｓ５とを順次取り込み、これらをハードデイスク装置２に与えてハードデイスクの指定されたアドレス位置に記録させる。
【００３２】
このようにしてこの編集装置１においては、指定されたクリツプの映像音声をビデオテープから再生してハードデイスク装置２に取り込むことができるようになされている。
【００３３】
一方主制御部３は、上述のようにしてクリツプが登録されると、デイスプレイ１２に表示されているメイン画面内に、登録されたクリツプのリストを表示させる。
【００３４】
そしてオペレータは、このメイン画面を用いてどのクリツプとどのクリツプとをどのように繋ぎ合わせるかといつた編集内容を規定した編集リストとして作成することができる。またオペレータは、編集リストの作成後又は作成途中において、その編集リストに基づく編集映像及び編集音声を確認することができる。
【００３５】
実際上、主制御部３は、編集リストの作成後又は作成途中において、その編集リストに基づく編集映像音声のプレビユーモードが選択されると、これに応じた制御コマンドＣ１をシステム制御部４に送出する。
【００３６】
システム制御部４は、供給される制御コマンドＣ１に基づいて、必要に応じて対応するビデオテープレコーダ１４Ａ〜１４Ｄに制御信号Ｓ１を送出することにより当該ビデオテープレコーダ１４Ａ〜１４Ｄに編集処理に利用するクリツプの映像音声を再生させる一方、必要に応じてコントロールバス１１を介してデイスク制御部１０を制御することにより、編集処理に利用するクリツプの映像音声をハードデイスク装置２から再生させる。
【００３７】
この結果このビデオテープレコーダ１４Ａ〜１４Ｄからは指定されたクリツプのアナログ映像信号Ｓ２及びアナログ音声信号Ｓ３と、デイジタル映像信号Ｓ４及びデイジタル音声信号Ｓ５とが出力され、アナログ映像信号Ｓ２及びアナログ音声信号Ｓ３がそれぞれ映像入力部５又は音声入出力／ミキサ部９に与えられ、デイジタル映像信号Ｓ４及びデイジタル音声信号Ｓ５がデイジタル映像音声入出力部７に与えられる。
【００３８】
このときシステム制御部４は、コントロールバス１１を介して映像入力部５及び音声入出力／ミキサ部９と、デイジタル映像音声入出力部７とのうちのいずれか一方を制御することにより、ビデオテープレコーダ１４Ａ〜１４Ｄから出力されたアナログ映像信号Ｓ２及びアナログ音声信号Ｓ３と、デイジタル映像信号Ｓ４及びデイジタル音声信号Ｓ５とのうちのいずれか一方のみを取り込ませる。
【００３９】
かくして映像入力部５を介してアナログ映像信号Ｓ２が取り込まれた場合には、これが映像入力部５においてデイジタル変換された後デイジタル映像信号Ｓ６として映像特殊効果処理部８に与えられ、デイジタル映像音声入出力部７を介してデイジタル映像信号Ｓ４が取り込まれた場合には、これがそのまま映像特殊効果処理部８に与えられる。
【００４０】
このとき映像特殊効果処理部８は、システム制御部４の制御のもとに、供給される各クリツプのデイジタル映像信号Ｓ６、Ｓ４を必要に応じて指定された状態に特殊効果加工処理する。また映像特殊効果処理部８は、このとき主制御部４から必要に応じて与えられるタイトル文字や各種グラツフイツク等の画像データを各クリツプのデイジタル映像信号Ｓ６、Ｓ４間に挿入し、又はデイジタル映像信号Ｓ６、Ｓ４に重畳し、かくして得られたデイジタル編集映像信号Ｓ８を映像出力部６に送出する。
【００４１】
そして映像出力部６は、システム制御部４の制御のもとに、供給されるデイジタル編集映像信号Ｓ８をアナログ変換し、得られた編集映像信号Ｓ９をモニタ１６に送出する。
【００４２】
一方このときビデオテープレコーダ１４Ａ〜１４Ｄから出力されたアナログ音声信号Ｓ３及びデイジタル音声信号Ｓ５のうち、音声入出力／ミキサ部９を介してアナログ音声信号Ｓ３が取り込まれた場合には、これが音声入出力／ミキサ部９において必要に応じてミキシング等の編集処理が施された後編集音声信号としてスピーカに送出され、デイジタル映像音声入出力部７を介してデイジタル音声信号Ｓ５が取り込まれた場合には、これが音声入出力／ミキサ部９においてアナログ変換され、ミキシング等の編集処理が施された後、編集音声信号としてスピーカに送出される。
【００４３】
この結果この編集装置１においては、モニタ１６に編集映像信号Ｓ９に基づく編集映像が表示されると共にスピーカから編集音声信号に基づく編集音声が出力され、かくしてオペレータが編集リストに基づく編集映像及び編集音声を確認することができるようになされている。
【００４４】
さらに主制御部３は、編集リストが作成された後、マウス１３又はキーボード１５が操作されてその実行命令が入力されると、これに応じた制御コマンドＣ１をシステム制御部４に送出する。
【００４５】
システム制御部４は、供給される制御コマンドＣ１に基づいて、必要に応じて対応するビデオテープレコーダ１４Ａ〜１４Ｄに制御信号Ｓ１を送出することにより当該ビデオテープレコーダ１４Ａ〜１４Ｄに編集処理に利用するクリツプの映像音声を再生させる一方、必要に応じてコントロールバス１１を介してデイスク制御部１０を制御することにより、ハードデイスク装置２から編集処理に利用するクリツプの映像音声を再生させる。
【００４６】
この結果上述のプレビユーモード時と同様にして、映像特殊効果処理部８には、ビデオテープレコーダ１４Ａ〜１４Ｄから映像入力部５若しくはデイジタル映像音声入出力部７を経由して必要なクリツプのデイジタル映像信号Ｓ６、Ｓ４が与えられ、又はハードデイスク装置２からデイスク制御部１０を経由して必要なクリツプのデイジタル映像信号Ｓ６、Ｓ４が与えられる。
【００４７】
またこのとき音声入出力／ミキサ部９には、ビデオテープレコーダ１４Ａ〜１４Ｄから直接若しくはデイジタル映像音声入出力部７を経由して必要なクリツプのアナログ音声信号Ｓ３若しくはデイジタル音声信号Ｓ５が与えられ、又はハードデイスク装置２からデイスク制御部１０を経由して必要なクリツプのデイジタル音声信号Ｓ７、Ｓ５が与えられる。
【００４８】
そして映像特殊効果処理部８は、システム制御部４の制御のもとに、上述のプレビユーモード時と同様にして、供給される各クリツプのデイジタル映像信号Ｓ６、Ｓ４を必要に応じて特殊効果加工処理し、かくして得られた編集映像の映像信号でなるデイジタル編集映像信号Ｓ８を映像出力部６に送出する。
【００４９】
このとき映像出力部６は、システム制御部４の制御のもとに、供給されるデイジタル編集映像信号Ｓ８をアナログ変換し、得られた編集映像信号Ｓ９を対応するビデオテープレコーダ１４Ａ〜１４Ｄに送出する。
【００５０】
またこのとき音声入出力／ミキサ部９は、システム制御部の制御のもとに、上述のプレビユーモード時と同様にして、供給される各クリツプのアナログ音声信号Ｓ２又はデイジタル音声信号Ｓ５、Ｓ７に対して必要に応じてミキシング等の編集処理を施し、かくして得られた編集音声信号Ｓ１０を対応するデビオテープレコーダ１４Ａ〜１４Ｄに送出する。
【００５１】
そしてこのときこのビデオテープレコーダ１４Ａ〜１４Ｄには、システム制御部４から制御信号Ｓ１が与えられており、かくして当該ビデオテープレコーダ１４Ａ〜１４Ｄは、この制御信号Ｓ１に基づいて、これら映像出力部６から供給される編集映像信号Ｓ９と、音声入出力／ミキサ部９から供給される編集音声信号Ｓ１０とをビデオテープの指定された位置に記録する。
【００５２】
このようにしてこの編集装置１では、作成された編集リストに従つて指定されたクリツプの映像音声を指定された状態に編集加工してビデオテープに記録することができるようになされている。
【００５３】
（２）主制御部の構成
ここで主制御部３は、図２に示すように、ＣＰＵ（Central Processing Unit ）２０、ＲＯＭ（Read Only Memory）２１、ＲＡＭ（Random Access Memory）２２、表示処理部２３、タイトル／グラフイツク生成部２４及びインターフエース回路２５、２６がＣＰＵバス２７を介して接続されることにより構成されており、各インターフエース回路２５、２６をそれぞれ介してマウス１３及びキーボード１５と接続されている。
【００５４】
この場合ＣＰＵ２０は、例えばマウス１３やキーボード１５が操作されることにより所定処理の実行命令がインターフエース回路２５、２６を介して与えられると、ＲＯＭ２１に格納されたプログラムに基づいて、必要に応じてシステム制御部４に制御コマンドＣ１を送出することにより、当該システム制御部４を介して対応するビデオテープレコーダ１４Ａ〜１４Ｄ、映像入出力部５、映像出力部６、デイジタル映像音声入出力部７、映像特殊効果処理部８、音声入出力／ミキサ部９及び又はデイスク制御部１０に所定動作を実行させ、かくして編集装置１全体として上述したような各種処理を実行させるようになされている。
【００５５】
またこのときＣＰＵ２０は、ＲＯＭ２１に格納されたプログラムに基づいて、必要に応じてＲＯＭ２１内の画像データを読み出し、これを表示処理部２３を介してデイスプレイ１２に与えることにより、後述のようなメイン画面や各種ウインドを表示させる一方、マウス操作に応動してメイン画面内を移動するカーソルや、キーボード１５を介して入力された数字や文字などをデイスプレイ１２に表示させ、かつ映像特殊効果処理部８からタイトル／グラフイツク生成部２４を介して表示処理部２３に与えられるデイジタル映像信号Ｓ６、Ｓ４に基づく映像や静止画像をメイン画面内の所定位置に表示させるようになされている。
【００５６】
さらにＣＰＵ２０は、ＲＯＭ２１に格納されたプログラムに基づいて、必要時にはタイトル／グラフツク生成部２４を制御してタイトル文字やグラフイツクの画像データを生成させてこれを映像特殊効果処理部８に送出させ得るようになされている。
【００５７】
（３）メイン画面におけるＣＰＵの処理
ここで実際上ＣＰＵ２０は、電源が投入された立ち上がり時、ＲＯＭ２１に格納されているプログラムに基づいて、まず図３に示すようなメイン画面３０をデイスプレイに表示させる。
【００５８】
この場合このメイン画面３０には、オペレータが所望する処理内容を選択するための複数のボタン３１Ａ〜３１Ｑと、登録された各クリツプのイン点やアウト点及び素材長等の関連データなどを表示するためのクリツプ情報表示部３２と、編集リスト作成時における各種処理を指定するための複数のボタン３３Ａ〜３３Ｒと、編集リストを作成するための編集リスト作成部３５とが設けられている。
【００５９】
そしてＣＰＵ２０は、このメイン画面３０がデイスプレイ１２に表示された状態において、マウス操作により画面上段のビデオクリツプエデイツトボタン３１Ｋが選択されると、図４のようなウインド（以下、これをビデオクリツプエデイツトウインドと呼ぶ）４０をメイン画面３０上に重ねて表示させる。
【００６０】
この場合ビデオクリツプエデイツトウインド４０では、左側上段に各ビデオテープレコーダ１４Ａ〜１４Ｄにそれぞれ対応させてソース選択ボタン４１Ａ〜４１Ｄが複数表示されており、マウス操作によりこれらソース選択ボタン４１Ａ〜４１Ｄのうちのいずれかを選択することにより所望の１台のビデオテープレコーダ１４Ａ〜１４Ｄを選択することができる。
【００６１】
そしてＣＰＵ２０は、いずれかのソース選択ボタン１４Ａ〜１４Ｄが選択された後、マウス操作によりビデオクリツプエデイツトウインド４０内に表示されたいずれかのビデオ操作用ボタン４２Ａ〜４２Ｇが選択されると、システム制御部４を介して対応するビデオテープレコーダ１４Ａ〜１４Ｄを制御することにより当該ビデオテープレコーダ１４Ａ〜１４Ｄに選択されたビデオ操作用ボタン４２Ａ〜４２Ｇに応じた動作を実行させる。なおＣＰＵ２０は、ビデオクリツプエデイツトウインド４０内のスライダ４３が操作されたときも、同様にして対応するビデオテープレコーダ１４Ａ〜１４Ｄに指定された動作を実行させる。
【００６２】
そしてこのときビデオテープレコーダ１４Ａ〜１４Ｄに再生動作や変速再生動作を実行させた場合、当該ビデオテープレコーダ１４Ａ〜１４Ｄによりビデオテープから再生された映像がこのビデオクリツプエデイツトウインド４０内のライブ映像表示部４４内に表示される。
【００６３】
かくしてオペレータは、このライブ映像表示部４４内に表示された映像を目視確認しながらイン点指定用ボタン４５又はアウト点指定用ボタン４６をクリツクすることによつてクリツプとして登録しようとする映像部分のイン点及びアウト点を指定することができ、このとき指定されたイン点及びアウト点の画像がそれぞれイン点画像表示部４７又はアウト点画像表示部４８内に表示される。
【００６４】
またこのときイン点又はアウト点として指定された各画像のビデオテープにおけるタイムコードがそれぞれイン点タイムコード表示部４９又はアウト点タイムコード表示部５０にそれぞれ表示され、指定されたクリツプの素材長（デユレーシヨン）がデユレーシヨン表示部５１に表示される。
【００６５】
なおＣＰＵ２０は、マウス操作によりビデオクリツプエデイツトウインド４０内のコマ送りボタン５２Ａ、５２Ｂが選択されると、システム制御部４を介して対応するビデオテープレコーダ１４Ａ〜１４Ｄを制御することにより、ライブ映像表示部４４内に表示された映像を順方向又は逆方向にコマ送り表示させる一方、ライブ映像移動ボタン５３、５４が選択されたときには、システム制御部４を介して対応するビデオテープレコーダ１４Ａ〜１４Ｄを制御することにより、ライブ映像表示部４４内の表示画像をイン点又はアウト点まで移動させる。
【００６６】
そしてＣＰＵ２０は、上述のようにしてクリツプのイン点及びアウト点が指定された後、マウス操作により登録ボタン５５が選択されると、このときデスイプレイ１２に表示させているそのクリツプのイン点及びアウト点のタイムコードや、素材長及び記録位置（ビデオテープ又はハードデイスク装置２内）等の関連データをデータベースとしてＲＡＭ２２に取り込む一方、このようにして登録されたクリツプのイン点及びアウト点のタイムコードや素材長等の関連データをメイン画面３０のクリツプ情報表示部３２内に表示させる。
【００６７】
またＣＰＵ２０は、このとき例えばビデオクリツプエデイツトウインド４０のモアボタン５６を選択することによつて開くことのできる図示しない設定画面上でオペレータにより予め取込みモードが選択されている場合には、システム制御部４を介して対応するビデオテープレコーダ１４Ａ／１４Ｄと、映像入力部５及び音声入出力／ミキサ部９又はデイジタル映像音声入出力部７と、映像特殊効果処理部８と、デイスク制御部１０とを上述のように制御することにより、このクリツプの映像音声を上述のようにしてハードデイスク装置２に取り込ませる一方、そのクリツプの記録位置がハードデイスク装置２内であることを表すデータをデータベース内の対応する位置に格納する（例えばフラグを立てる）。
【００６８】
なおこのときＣＰＵ２０は、このクリツプの映像信号及び音声信号を指定された範囲（すなわち指定されたイン点からアウト点まで）よりも前後所定期間分（例えば２秒分）だけ余分にハードデイスク装置２に取り込ませる。またこのときＣＰＵ２０は、例えばオペレータにより上述の設定画面上で予めリンクモードが選択されている場合には映像と音声をデータとしてリンクさせてハードデイスク装置２に取り込ませる一方、アンリンクモードが選択されている場合には映像と音声をデータとしてリンクさせないでハードデイスク装置２に取り込ませる。
【００６９】
そしてＣＰＵ２０は、この後マウス操作によりニユーエデイツトボタン５７が選択されると、このビデオクリツプエデイツトウインド４０を初期状態に戻す。これによりオペレータは、この後上述と同様の手順により他のクリツプを順次登録することができる。
【００７０】
またＣＰＵ２０は、マウス操作によりクローズボタン５８が選択されると、当該ビテオクリツプエデイツトウインド４０を閉じさせる。
【００７１】
一方オペレータは、上述のようにしてメイン画面３０のクリツプ情報表示部３２に、登録された各クリツプの関連データが表示された状態（図５）において、このメイン画面３０の編集リスト作成部３５を利用して以下の方法により編集リストを作成することができる。
【００７２】
すなわち、まずマウス操作によりクリツプ情報表示部３２内の所望のクリツプの段にカーソルを合わせた後、マウス１３のボタンを押下するようにして１つのクリツプを指定し、その状態のままカーソルを、編集リスト作成部３５のタイムスケール３５Ａを指標として、第１若しくは第２のビデオトラツク３５Ｃ、３５Ｅ、又は第１若しくは第２のオーデイオトラツク３５Ｇ、３５Ｈ内の所望位置に移動させた後、マウス１３のボタンを放すようにする。
【００７３】
この結果ＣＰＵ２０は、この第１若しくは第２のビデオトラツク３５Ｃ、３５Ｅ、又は第１若しくは第２のオーデイオトラツク３５Ｇ、３５Ｈ内に、図６に示すように、そのときのカーソルの位置を先頭して、上述のようにして指定されたクリツプの素材長に応じた長さの枠６０Ａ〜６０Ｄ、６１Ａ〜６１Ｄを表示させる。またＣＰＵ２０は、このときそのクリツプの映像と音声がリンクされて登録されている場合には、その枠６０Ａ〜６０Ｄ、６１Ａ〜６１Ｄが表示された第１若しくは第２のビデオトラツク３５Ｃ、３５Ｄ、又は第１若しくは第２のオーデイオトラツク３５Ｇ、３５Ｈと対応する第１若しくは第２のオーデイオトラツク３５Ｇ、３５Ｈ、又は第１若しくは第２のビテオトラツク３５Ｃ、３５Ｅ内に第１若しくは第２のビデオトラツク３５Ｃ、３５Ｅ、又は第１若しくは第２のオーデイオトラツク３５Ｇ、３５Ｈ内に表示された枠６０Ａ〜６０Ｄ、６１Ａ〜６１Ｄとタイムスケール３５Ａ上で同じ位置に同じ長さの枠６１Ａ〜６１Ｄ、６０Ａ〜６０Ｄを表示させる。
【００７４】
そしてオペレータは、上述のような操作を繰り返し行い、タイムスケール３５Ａの始め（「00:00.00:00 」）から所望するタイムコードまで（すなわち所望する時間分だけ）タイムスケール３５Ａ上において連続するように、第１又は第２のビデオトラツク３５Ｃ、３５Ｅと、第１又は第２のオーデイオトラツク３５Ｇ、３５Ｈに順次枠６０Ａ〜６０Ｄ、６１Ａ〜６１Ｄを表示させる。
【００７５】
ここでこのように編集リスト表示部３５の第１又は第２のビデオトラツク３５Ｃ、３５Ｅや、第１又は第２のオーデイオトラツク３５Ｇ、３５Ｈに枠６０Ａ〜６０Ｄ、６１Ａ〜６１Ｄが表示されることは、編集映像音声の表示時にタイムスケール３５Ａで表された時間にその枠６０Ａ〜６０Ｄ、６１Ａ〜６１Ｄに対応するクリツプの映像が表示され、又は音声が出力されることを意味する。従つてこのような操作により編集映像として順次表示され、又は編集音声として順次出力されるクリツプ映像又は音声を決定してなる編集リストを作成することができる。
【００７６】
なおこのようにして編集リストを作成する際、例えば第１のクリツプの映像から第２のクリツプの映像への切り換わり時に特殊効果処理を施したいときには、先行する第１のクリツプ（以下、これをフロムクリツプと呼ぶ）に対応する第１の枠６０Ａ〜６０Ｄを一方の第１又は第２のビデオトラツク３５Ｃ、３５Ｅに表示させると共に、当該第１の枠６０Ａ〜６０Ｄの後側の一部とその前側の一部がタイムスケール３５Ａでのタイムコードが重なるように後行する第２のクリツプ（以下、これをツークリツプと呼ぶ）に対応する第２の枠６０Ａ〜６０Ｄを他方の第２又は第１のビデオトラツク３５Ｅ、３５Ｃに表示させる。
【００７７】
続いてマウス操作により画面中段部のセレクトエフエクトボタン３３Ｑをクリツクする。この結果ＣＰＵ２０は、メイン画面３０上に、例えば図７のように実行できる各種特殊効果処理の内容を表すアイコン６３Ａ〜６３Ｙが複数表示された所定のウインド（以下、これをセレクトエフエクトウインドと呼ぶ）６２を表示させる。
【００７８】
次いで所望する特殊効果処理のアイコン６３Ａ〜６３Ｙ上にカーソルを移動させた後、マウス１３のボタンを押下し、その状態でカーソルを上述の編集リスト作成部３５のエフエクトトラツク３５Ｄにおける一方の第１又は第２のビデオトラツク３５Ｃ、３５Ｅに表示された第１の枠６０Ａ〜６０Ｄと、他方の第２又は第１のビデオトラツク３５Ｅ、３５Ｃに表示された第２の枠６０Ａ〜６０Ｄとのタイムスケール３５Ａ上でのタイムコードが重なり合う部分に移動させてマウス１３のボタンを放す。
【００７９】
この結果ＣＰＵ２０は、セレクトエフエクトウインド６２内に表示されたアイコン６３Ａ〜６３Ｙを画面上をカーソルと一体に移動させると共に、当該アイコン６３Ａ〜６３Ｙをマウス１３のボタンが放された位置に貼り付けられた状態に表示させる。
【００８０】
これにより一方の第１又は第２のビデオトラツク３５Ｃ、３５Ｅに表示された第１の枠６０Ａ〜６０Ｄに対応するクリツプの映像と、他方の第２又は第１のビデオトラツク３５Ｅ、３５Ｃに表示された第２の枠６０Ａ〜６０Ｄに対応するクリツプの映像との繋ぎ部分において上述のようにして貼り付けられたアイコン６３Ａ〜６３Ｙに対応する特殊効果処理を実行すべき旨の指示を入力することができる。
【００８１】
なおＣＰＵ２０は、マウス操作によりクローズボタン６４が選択されると、セレクトエフエクトウインド６２をメイン画面２０上から閉じさせる。
【００８２】
さらにＣＰＵ２０は、このようにして編集リストが作成された後又は編集リストの作成時に、マウス操作によりメイン画面３０の中段に表示されたプレビユーボタン３３Ｄが選択されると、上述のようにシステム制御部４を介して対応するビデオテープレコーダ１４Ａ〜１４Ｄ、映像入力部５、映像出力部６、デイジタル映像音声入出力部７、映像特殊効果処理部８、音声入出力／ミキサ部９及び又はデイスク制御部１０を必要に応じて制御することにより、この編集リストに基づく編集映像をモニタ１６に表示させ、また当該編集リストに基づく編集音声をスピーカから出力させる。
【００８３】
さらにＣＰＵ２０は、上述のようにして編集リストが作成された後、メイン画面３０の中段に表示させた記録ボタン３３Ｇが選択されると、上述のようにシステム制御部４を介して対応するビデオテープレコーダ１４Ａ〜１４Ｄ、映像入力部５、映像出力部６、デイジタル映像音声入出力部７、映像特殊効果処理部８、音声入出力／ミキサ部９及び又はデイスク制御部１０を必要に応じて制御することにより、当該編集リストに基づく編集処理を実行させ、かくして得られた編集映像及び編集音声をオペレータにより予め指定されたビデオテープレコーダ１４Ａ〜１４Ｄを介してビデオテープに記録させるようになされている。
【００８４】
かかる構成に加えこの編集装置１の場合、例えば図５又は図６のようにメイン画面３０のクリツプ情報表示部３２内にクリツプの関連データを表示した状態において、メイン画面３０の上段に設けられたビユーピクチヤボタン３１Ｉをマウス操作により選択することによつて、これら各クリツプの関連データに代えて、図８に示すように、これら各クリツプのイン点画像をクリツプ情報表示部３２内に表示させることができるようになされている。
【００８５】
実際上ＣＰＵ２０は、クリツプ情報表示部３２内にクリツプの関連データを表示した状態において、ビユーピクチヤボタン３１Ｉが選択されると、これに応じた制御コマンドＣ１をシステム制御部４に送出することにより、対応するビデオテープレコーダ１４Ａ〜１４Ｄ及び又はハードデイスク装置２にこのときクリツプ表示部３２内に表示されている各クリツプのイン点の画像を再生させる一方、かくして得られた各クリツプのイン点の画像をそれぞれ図９に示すようなイン点画像表示キヤラクタ７０の画像表示部７１内にはめ込み、これらをクリツプ情報表示部３２内にリストアツプされていた順番で各クリツプの関連データに代えて表示させる。
【００８６】
またＣＰＵ２０は、イン画像表示キヤラクタ７０内のフアイル名表示部７２内にそのクリツプのフアイル名を表示させると共に、編集リスト表示部３５の第１若しくは第２のビデオトラツク３５Ｃ、３５Ｅ、及び又は第１若しくは第２のオーデイオトラツク３５Ｇ、３５Ｈ上に対応するクリツプの枠６０Ａ〜６０Ｄ、６１Ａ〜６１Ｄが表示されている（すなわちそのクリツプが編集リスト上に登録されている）場合には、そのイン画像表示キヤラクタ７０内の左上部に表示された逆三角形状の第１のマーク７３を青色に着色する。
【００８７】
そしてオペレータは、この状態においてメイン画面３０のクリツプ情報表示部３２内に表示された所望のクリツプのイン点画像表示キヤラクタ７０上にカーソルを合わせた後、マウス１３のボタンを押下するようにして１つのクリツプを指定し、その状態のままカーソルを編集リスト作成部３５の第１若しくは第２のビデオトラツク３５Ｃ、３５Ｅ、又は第１若しくは第２のオーデイオトラツク３５Ｇ、３５Ｈ内の所望位置に移動させた後、マウス１３のボタンを放すことにより、そのときのカーソルの位置を先頭として指定されたクリツプの素材長に応じた長さの枠６０Ａ〜６０Ｄ、６１Ａ〜６１Ｄを表示させることができる。
【００８８】
このようにしてオペレータは、そのクリツプを編集リスト上に登録することができ、同様の操作を繰り返すことにより所望のクリツプを順次編集リストに登録することができる。
【００８９】
そしてこのときＣＰＵ２０は、上述と同様にしてクリツプ情報表示部３２内の対応するイン画像表示キヤラクタ７０内の左上部に第１のマーク７３を順次青色に着色する。
【００９０】
これによりこの編集装置１においては、オペレータがクリツプ情報表示部３２内に表示された各イン画像表示キヤラクタ７０内の第１のマーク７３の色に基づいて、そのクリツプがすでに編集リスト上に登録されているか否かを容易に判別し得るようになされている。
【００９１】
なおこの実施の形態の場合、ＣＰＵ２０は、そのクリツプの映像音声がハードデイスク装置２内に取り込まれている場合には、当該クリツプに対応するイン点画像表示キヤラクタ７０の右上部に表示された長方形状の第２のマーク７４を緑色に着色して表示する一方、当該クリツプの映像音声がハードデイスク装置２内に取り込まれていない場合には、当該クリツプに対応するイン点画像表示キヤラクタ７０の第２のマーク７４を着色することなく表示させるようになされている。
【００９２】
これによりこの編集装置１においては、オペータがこの第２のマーク７４に基づいて対応するクリツプの保存場所（すなわちハードデイスク又はビデオテープのいずれか）を容易に認識し得るようになされている。
【００９３】
（４）マーク表示処理手順
ここで実際上ＣＰＵ２０は、図１０に示すマーク表示処理手順ＲＴ１に従つてクリツプ情報表示部３２に表示された各イン画像表示キヤラクタ７０内の第１のマークを必要に応じて青色に着色する。
【００９４】
すなわちＣＰＵ２０は、メイン画面３０のクリツプ情報表示部３２内にクリツプの関連データが表示された状態においてビユーピクチヤボタン３３Ｉが選択されると、これら各クリツプにそれぞれ対応するイン点画像を含んでなるイン画像表示キヤラクタ７０をクリツプ情報表示部３２内に表示させた後、このマーク表示処理手順ＲＴ１をステツプＳＰ０において開始し、続くステツプＳＰ１において編集リスト作成部３５の第１若しくは第２のビデオトラツク３５Ｃ、３５Ｅ内、及び又は第１の若しくは第２のオーデイオトラツク３５Ｇ、３５Ｈ内に表示された枠６０Ａ〜６０Ｄ、６１Ａ〜６１Ｄのうち、先頭の枠６０Ａ〜６０Ｄ、６１Ａ〜６１Ｄに対応するクリツプを検出する。
【００９５】
次いでＣＰＵ２０は、ステツプＳＰ２に進んで、そのクリツプに対応するイン画像表示キヤラクタ７０をＲＡＭ２２に格納されているデータベースに基づいて検出する。
【００９６】
次いでＣＰＵ２０は、ステツプＳＰ３に進んでそのイン画像表示キヤラクタ７０内の第１のマーク７３を青色に着色表示し、この後ステツプＳＰ４に進んでそのクリツプが編集リスト作成部３５を用いてそのときまでに作成された編集リスト内に登録された最後のクリツプであるか否かを判断する。
【００９７】
ここでこのステツプＳＰ４において肯定結果を得ることは、クリツプ情報表示部３２内に表示された全てのイン画像表示キヤラクタ７０のうち、そのときまでに編集リスト内に登録された各クリツプに対応する各イン点画像表示キヤラクタ７０の第１のマーク７３を青色に着色表示したことを意味し、このときＣＰＵ２０はステツプＳＰに進んでこのマーク表示処理手順ＲＴ１を終了する。
【００９８】
これに対してステツプＳＰ４において否定結果を得ることは、クリツプ情報表示部３２内に表示された全てのイン画像表示キヤラクタ７０のうち、そのときまでに編集リスト内に登録された各クリツプに対応する各イン点画像表示キヤラクタ７０の第１のマーク７３を青色に着色表示していないことを意味し、このときＣＰＵ２０はステツプＳＰ６に進んで、編集リストに登録された次のクリツプを検出した後ステツプＳＰ２に戻り、この後ステツプＳＰ４において肯定結果を得るまでステツプＳＰ２〜ＳＰ６を繰り返し実行する。そしてＣＰＵ２０は、やがてステツプＳＰ４において肯定結果を得るとステツプＳＰ５に進んでこのマーク表示処理手順ＲＴ１を終了する。
【００９９】
さらにＣＰＵ２０は、この後クリツプ情報表示部３２内に表示されたいずれかのイン画像表示キヤラクタ７０に対応するクリツプが編集リストに登録される毎に（すなわちそのクリツプに対応する枠６０Ａ〜６０Ｄ、６１Ａ〜６１Ｄが編集リスト作成部３５の第１若しくは第２のビデオトラツク３５Ｃ、３５Ｅ、又は第１若しくは第２のオーデイオトラツク３５Ｇ、３５Ｈに表示される毎に）このマーク表示処理手順ＲＴ１を実行する。
【０１００】
このようにしてＣＰＵ２０は、メイン画面３０のクリツプ情報表示部３２内に表示された各イン画像表示キヤラクタ７０のうち、対応するクリツプが編集リストに登録されたイン画像表示キヤラクタ７０の第１のマーク７３を青色に着色表示する。
【０１０１】
（５）本実施の形態の動作及び効果
以上の構成において、この編集装置１では、メイン画面３０のビユーピクチヤボタン３３Ｉを選択することにより、このときクリツプ情報表示部３２に表示されている各クリツプの関連データに代えて、これら各クリツプのイン点画像を含むイン点画像表示キヤラクタ７０をクリツプ情報表示部３２内に表示させることができる。
【０１０２】
このとき各イン点画像表示キヤラクタ７０のうち、編集リストに登録されている各クリツプに対応するイン点画像表示キヤラクタ７０では、第１のマークが青色に着色表示される。
【０１０３】
またこの後クリツプ情報表示部３２内の所望のクリツプに対応するイン点画像表示キヤラクタ７０上にカーソルを合わせてマウス１３のボタンを押下し、この状態でマウス操作によりカーソルを編集リスト作成部３５の第１若しくは第２のビデオトラツク３５Ｃ、３５Ｅ、又は第１若しくは第２のオーデイオトラツク３５Ｇ、３５Ｈ上の所望位置に移動させた後、マウス１３のボタンを放すことにより、そのクリツプを編集リストに登録することができ、このときそのクリツプに対応するイン点画像表示キヤラクタ７０の第１のマークが青色に着色表示される。
【０１０４】
従つてこの編集装置１では、クリツプ情報表示部３２に表示された各イン点画像表示キヤラクタ７０内の第１のマーク７３の色に基づいて、オペレータがそのクリツプが編集リスト上に登録されているか否かを容易にかつ確実に判断することができ、その分ハードデイスク装置２に取り込まれた不要なクリツプの映像音声信号を容易にかつ直ちに識別することができる。
【０１０５】
以上の構成によれば、メイン画面３０のクリツプ情報表示部３２に表示された各イン点画像表示キヤラクタ７０のうち、対応するクリツプが編集リストに登録されているイン点画像表示キヤラクタ７０の第１のマーク７３を青色に着色表示するようにしたことにより、対応するクリツプが編集リストに登録されているか否かをオペレータが容易にかつ確実に判断することができる。かくするにつきオペレータがハードデイスク装置２に取り込まれた不要なクリツプの映像音声信号を容易にかつ直ちに識別することができ、かくして使い勝手を格段的に向上させ得る編集装置を実現できる。
【０１０６】
（６）他の実施の形態
なお上述の実施の形態においては、本発明を図１のように構成された編集装置１に適用するようにした場合について述べたが、本発明はこれに限らず、映像及び又は音声信号の所望部分を被編集素材（すなわちクリツプ）として登録し、当該登録した被編集素材に基づいて編集順序を規定した編集リストを作成することができるようになされた編集装置に広く適用することができる。
【０１０７】
また上述の実施の形態においては、メイン画面３０のビユーピクチヤボタン３３Ｉを選択することによつて、登録されたクリツプのイン点画像をクリツプ情報表示部３２に表示させることができるようにした場合について述べたが、本発明はこれに限らず、イン点画像以外の例えばアウト点画像や、クリツプ内の予めオペレータにより指定された画像等をクリツプ情報表示部３２に表示するように編集装置１を構築するようにしても良い。
【０１０８】
さらに上述の実施の形態においては、登録されたクリツプのイン点画像をクリツプ情報表示部３２に表示する際、そのクリツプが編集リストに用いられている場合に第１のマーク７３を青色に着色して表示するようにした場合について述べたが、本発明はこれに限らず、第１のマーク７３を青色以外の色で表示するようにしても良い。また第１のマーク７３に代えて、文字や、図形又は他の形態のマーク等のそのクリツプが編集リストに用いられているか否かを容易に判別し得る他の判別情報を表示するようにしても良い。
【０１０９】
さらに上述の実施の形態においては、登録されたクリツプのイン点画像をクリツプ情報表示部３２に表示する際、そのクリツプが編集リストに用いられている場合に第１のマーク７３のみを青色に着色して表示するようにした場合について述べたが、本発明はこれに限らず、例えばイン点画像表示キヤラクタ７０の全部又は第１のマーク７３以外の他の一部を青色又は他の色に着色して表示するようにしても良い。
【０１１０】
さらに上述の実施の形態においては、登録されたクリツプに関する所定情報としてイン点画像を表示した場合にそのクリツプが編集リストに用いられている否かを表示するようにした場合について述べたが、本発明はこれに限らず、例えばクリツプ情報表示部３２に登録されたクリツプの関連データが表示されているときや他の情報が表示されているときにもそのクリツプが編集リストで用いられているか否かを判別し得るようにその表示情報の一部又は全部を所定色で表示し、又はそのクリツプが編集リストで用いられているか否かを判別し得る判別情報を関連データに対応させて表示するようにしても良い。
【０１１１】
さらに上述の実施の形態においては、本発明を、ビデオテープに記録された映像音声信号をハードデイスクに取り込み得るようになされた編集装置１に適用するようにした場合について述べたが、本発明はこれに限らず、この他種々のデイスク状記録媒体や他の記録媒体に取り込み得るようになされたこの他種々の編集装置に広く適用することができる。
【０１１２】
【発明の効果】
上述のように本発明によれば、映像及び又は音声信号の所望部分を被編集素材として登録し、当該登録した被編集素材に基づいて編集順序を規定した編集リストを作成することができるようになされた編集装置において、表示手段の表示画面内に設けられた情報表示部に、登録された被編集素材に関する所定情報を表示すると共に、表示画面内に設けられた編集リスト表示部に、タイムスケールに沿って被編集素材が配置されるように表示することにより編集リストを構成する制御部を設け、制御部は、被編集素材が編集リスト表示部に表示されているか否かを判別できる所定の判別情報を、当該被編集素材に関する所定情報に対応させて情報表示部に表示するようにしたことにより、表示された被編集素材に関する情報及び判別情報に基づいて当該情報に対応付けられた被編集素材が編集リストに用いられているか否かをオペレータに瞬時にかつ確実に判別させることができ、かくして使い勝手を格段的に向上させ得る編集装置を実現できる。
【図面の簡単な説明】
【図１】本実施の形態による編集装置の構成を示すブロツク図である。
【図２】主制御部の構成を示すブロツク図である。
【図３】メイン画面を示す略線図である。
【図４】ビデオクリツプエデイツトウインドを示す略線図である。
【図５】メイン画面を示す略線図である。
【図６】メイン画面を示す略線図である。
【図７】セレクトエフエクトウインドを示す略線図である。
【図８】メイン画面を示す略線図である。
【図９】イン点画像表示キヤラクタを示す略線図である。
【図１０】マーク表示処理手順を示すフローチヤートである。
【符号の説明】
１……編集装置、２……ハードデイスク装置、３……主制御部、４……システム制御部、１２……デイスプレイ、１３……マウス、１４Ａ〜１４Ｄ……ビデオテープレコーダ、１５……キーボード、１６……モニタ、２０……ＣＰＵ、３０……メイン画面、３５……編集リスト作成部、３５Ａ……タイムスケール、３５Ｃ、３５Ｅ……ビデオトラツク、３５Ｇ、３５Ｈ……オーデイオトラツク、４０……ビデオクリツプエデイツトウインド、６０Ａ〜６０Ｄ、６１Ａ〜６１Ｄ……枠、７０……イン点表示キヤラクタ、７１……画像表示部、７３……第１のマーク、７４……第２のマーク、ＲＴ１……マーク表示処理手順、Ｓ２……アナログ映像信号、Ｓ３……アナログ音声信号、Ｓ４、Ｓ６……デイジタル映像信号、Ｓ５、Ｓ７……デイジタル音声信号、Ｓ８……デイジタル編集映像信号、Ｓ９……編集映像信号、Ｓ１０……編集音声信号。
【図１】
0003835642.tif 000002
【図２】
0003835642.tif 000003
【図３】
0003835642.tif 000004
【図４】
0003835642.tif 000005
【図５】
0003835642.tif 000006
【図６】
0003835642.tif 000007
【図７】
0003835642.tif 000008
【図８】
0003835642.tif 000009
【図９】
0003835642.tif 000010
【図１０】
0003835642.tif 000011